(57)【要約】【課題】デジタルスチルカメラや写真機等の撮影装置を横位置及び縦位置にしてバウンズ撮影するときの光の照射の条件を同じにするようにし、かつ、照射方向設定が簡単にできるようにし、撮影者が撮影に集中できるようにすることを目的とする。【解決手段】撮影装置１２に着脱自在に取り付ける取り付け部１１ａを有する閃光装置において、この取り付け部１１ａが設けられた第１の基台１１と、この第１の基台１１にこの撮影装置１２の光軸に対して略平行な軸ａに対し回動自在に取り付けられた第２の基台１４と、この第２の基台１４にこの撮影装置１２の光軸に対してこの第２の基台１４にこの撮影装置１２の光軸に対して直交し、この撮影装置１２を横位置にしたときに略水平になる軸を中心に少なくとも上下方向に回動自在に取り付けられた閃光発光部１５とより構成され、この第１の基台１１にこの撮影装置１２の被写体に補助光を照射する補助光照射部１３を有するものである。【選択図】図２
2008090084.tif 000002
【特許請求の範囲】
【請求項１】
撮影装置に着脱自在に取り付ける取り付け部を有する閃光装置において、
前記取り付け部が設けられた第１の基台と、
前記第１の基台に前記撮影装置の光軸に対して略平行な軸に対し回動自在に取り付けられた第２の基台と、
前記第２の基台に前記撮影装置の光軸に対して直交し、前記撮影装置を横位置にしたときに略水平になる軸を中心に少なくとも上下方向に回動自在に取り付けられた閃光発光部とより構成され、
前記第１の基台に前記撮影装置の被写体に補助光を照射する補助光照射部を有することを特徴とする閃光装置。
【請求項２】
請求項１記載の閃光装置において、
前記第２の基台には少なくとも前記閃光発光部の設定状態を表示するための表示部が設けられていることを特徴とする閃光装置。
【請求項３】
請求項２記載の閃光装置において、
前記表示部も近傍に設定手段を設けたことを特徴とする閃光装置。
【請求項４】
請求項１記載の閃光装置において、
前記第１の基台に対して前記第２の基台を９０度回動したときに仮固定する仮固定手段を設けたことを特徴とする閃光装置。
【請求項５】
請求項１記載の閃光装置において、
前記補助光を照射したときに所定のパターンが照射されるように構成されていることを特徴とする閃光装置。
【請求項６】
請求項１記載の閃光装置において、
前記閃光発光部に少なくとも閃光の一部を反射させる閃光反射手段を設けたことを特徴とする閃光装置。
【発明の詳細な説明】
【技術分野】
【０００１】
本発明は、デジタルスチルカメラや写真機等の撮影装置のバウンズ撮影に適用して好適な閃光装置に関する。
【背景技術】
【０００２】
一般に、室内でデジタルスチルカメラや写真機等の撮影装置により撮影する場合に、閃光装置を天井に向けて発光させてその反射光によって間接的に被写体を照射し、くっきりした影の出ない自然な写真が撮れるバウンズ撮影が行われている。
【０００３】
このデジタルスチルカメラや写真機等の撮影装置のバウンズ撮影に適用される閃光装置として、図２８に示すように、閃光装置本体１の上部に閃光発光部２を左右方向及び上下方向に回動自在に取り付けるようにしたものが開示されている（特許文献１）。
【０００４】
斯かる、特許文献１に示すように、閃光装置本体１の上部に閃光発光部２を左右方向及び上下方向に回動自在とした閃光装置をデジタルスチルカメラや写真機等の撮影装置の上部のアクセサリシューに取り付け、バウンズ撮影するようにしたときに図２８Ａ及びＢに示すように、デジタルスチルカメラや写真機等の撮影装置３を撮影装置の画面が横長に撮影される横位置及び撮影装置の画面が縦長に撮影される縦位置にしてバウンズ撮影するときには、この閃光装置の閃光発光部２を天井に向けて発光することができバウンズ撮影を行うことができる。
【特許文献１】特開２００５−１８１４３８号公報(段落〔００３３〕参照)
【発明の開示】
【発明が解決しようとする課題】
【０００５】
然しながら、この特許文献１に示すように閃光装置本体１の上部に閃光発光部２を左右方向及び上下方向に回動自在としたときには、撮影装置３が横位置のバウンズ撮影のときは、図２８Ａに示すように、閃光発光部２が横方向となり、撮影装置３が縦位置のバウンズ撮影のときは、図２８Ｂに示すように、閃光発光部２が縦方向となり、デジタルスチルカメラや写真機等の撮影装置を横位置及び縦位置にしてバウンズ撮影するときには、撮影のときの光の照射の条件が異なり、また、図２８Ａの状態で閃光発光部２を一旦水平にし、それから左右に首を振るように回動させるという手間のかかるものであったため、撮影者は撮影に集中できない不都合があった。
【０００６】
本発明は、斯かる点に鑑み、デジタルスチルカメラや写真機等の撮影装置を横位置及び縦位置にしてバウンズ撮影するときの光の照射の条件を同じにするようにし、かつ、照射方向設定が簡単にできるようにし、撮影者が撮影に集中できるようにすることを目的とする。
【課題を解決するための手段】
【０００７】
本発明閃光装置は、撮影装置に着脱自在に取り付ける取り付け部を有する閃光装置において、この取り付け部が設けられた第１の基台と、この第１の基台にこの撮影装置の光軸に対して略平行な軸に対し回動自在に取り付けられた第２の基台と、この第２の基台にこの撮影装置の光軸に対して直交し、この撮影装置を横位置にしたときに略水平になる軸を中心に少なくとも上下方向に回動自在に取り付けられた閃光発光部とより構成され、この第１の基台にこの撮影装置の被写体に補助光を照射する補助光照射部を有するものである。
【発明の効果】
【０００８】
斯かる本発明によれば、撮影装置に取り付け固定される第１の基台に、この撮影装置の光軸に対して略平行な軸に対し回動自在に第２の基台を取り付け、この第２の基台にこの撮影装置の光軸に対して直交し、前記撮影装置を横位置にしたときに略水平になる軸を中心に少なくとも上下方向に回動自在に閃光発光部を取り付けたので、デジタルスチルカメラや写真機等の撮影装置を横位置及び縦位置にしてバウンズ撮影するときの光の照射の条件を同じにすることができ、かつ、照射方向設定が簡単にできるので、撮影者が撮影に集中することができる。
【発明を実施するための最良の形態】
【０００９】
以下、図面を参照して、本発明閃光装置を実施するための最良の形態の例につき説明する。
【００１０】
図１は本例による閃光装置の閃光発光部１５よりの閃光の照射が撮影装置に撮影レンズの光軸と平行な正位置(横位置)の正面(前面)図を示し、図２は図１の右側面図、図３は図１の前面側斜視図、図４は図１の後面側斜視図を示す。
【００１１】
この図１〜図４において、１１は後述するデジタルスチルカメラや写真機等の撮影装置１２のアクセサリシュー等の取り付け部１２ａに着脱自在に取り付ける取り付け部１１ａが設けられた第１の基台を示す。この第１の基台１１の取り付け部１１ａによりスチルカメラ等の撮影装置１２のアクセサリシュー等の取り付け部１２ａに取り付け固定したときは、この第１の基台１１は、この撮影装置１２と一定の位置関係となっている。
【００１２】
本例においては、この第１の基台１１の前面側に、図１、図２、図３に示すように、この撮影装置１２の被写体側にフォーカス補助光を照射する補助光照射部１３を設ける。このフォーカス補助光は、撮影装置１２が被写体のフォーカスを合わせるときに発光させる。
【００１３】
この補助光照射部１３は、周知のように例えばＬＥＤと、このＬＥＤの前面に取り付けられたレンズとで構成され、この補助光照射部１３のレンズには、所定パターン例えば縦縞の照射パターンが形成されており、この補助光照射部１３よりフォーカス補助光を撮影前に発光するようにして、被写体等に照射される縦縞パターンにより、被写体のフォーカスが合わせられる。
【００１４】
この場合、本例においては、撮影装置１２に取り付け固定される第１の基台１１に撮影装置１２の被写体側にフォーカス補助光を照射する補助光照射部１３を有するので、撮影装置１２とこの補助光照射部１３との位置関係は、一定で変わらないので、常に良好にフォーカスが合わせられる。
【００１５】
この第１の基台１１の取り付け部１１ａは、例えば図５に示すように、一対の対向する逆Ｌ字状案内体１１ｂ及び１１ｃ間に出没自在の通信用端子１１ｄとロック部１１ｅとを設けたもので、取り外し釦１１ｆを押すことにより、ロック部１１ｅのロックを外すことができるようになされたものである。
【００１６】
また、撮影装置１２の上部の取り付け部１２ａは、例えば図６に示すように、第１の基台１１の取り付け部１１ａの逆Ｌ字状案内体１１ｂ及び１１ｃ間を摺動する一対の摺動片１２ｂ及び１２ｃ間に通信用端子１２ｄとロック用凹部１２ｅを設けたものである。
【００１７】
この第１の基台１１の後面側に、図２、図３、図４に示すように、後述する撮影装置１２の光軸に対して略平行な軸ａに対し回動自在に第２の基台１４を取り付ける。この場合、本例においては、この第１の基台１１及び第２の基台１４の接触面を第１の基台１１側が凸で第２の基台１４側が凹の所定半径の球面接触とする。このようにこの第１の基台１１及び第２の基台１４の接触面を球面接触とすることにより、第２の基台１４を第１の基台１１に対し、良好に回動することができると共に横から相互の隙間が見えることがない。
【００１８】
この第２の基台１４の後面側に、図４に示すように、後述する閃光発光部１５の設定状態例えば閃光の届く距離、ズームヘッドの焦点距離や閃光発光部１５の回転角度等を表示するための表示部１６を設ける。この表示部１６を第２の基台１４の後面側に設けることにより、撮影者２０は、常に正位置の表示を見ることができる。
【００１９】
この表示部１６の近傍にこの表示部１６に所定の表示を設定する設定手段としての操作釦１７を設けるようにする。
【００２０】
また、本例においては、この第１の基台１１に対して、この第２の基台１４を９０度回動したときに仮固定する仮固定手段例えばクリック機構を設ける。この仮固定手段としては、例えば図７に示すように、回動軸ａを中心とし、第２の基台１４に設けた円筒１８の外周の正位置とその左右９０度回動した位置に係合凹部１８ａを設け、第１の基台１１にこの係合凹部１８ａに係合する係合バネ片１８ｂを設けるようにする。このようにすることにより、撮影者２０は、目で確認することなく、この第２の基台１４をこの第１の基台１１に対して、９０度回動したことを知ることができる。
【００２１】
この第２の基台１４に、図２、図３、図４に示すように、後述する撮影装置１２の光軸に対して直交し、この撮影装置を横位置にしたときに略水平になる軸１９を中心に少なくとも上下方向に回動自在に横長の長方形の発光部を有する閃光発光部１５を取り付けるようにする。
【００２２】
本例においては、閃光装置は、上述のように構成されているので、撮影時は、この閃光装置の第１の基台１１の取り付け部１１ａによりデジタルスチルカメラや写真機等の撮影装置１２のアクセサリシュー等の取り付け部１２ａに取り付け固定する。
【００２３】
撮影装置１２の横位置の通常撮影時は、図８、図９、図１０に示すようにして、撮影装置１２の撮影を行うようにする。図８は撮影者２０が撮影するときの正面図、図９はその前面側斜視図、図１０はその後面側斜視図である。このときは、閃光装置は、前述の図１〜図４に示すような関係となる。
【００２４】
このときは、閃光装置の閃光発光部１５は正位置（撮影装置１２の横位置）となり、閃光発光部１５よりの閃光は、撮影装置１２の光軸に平行に照射され、従来同様に良好な横位置の撮影を行うことができる。
【００２５】
また、このときは、撮影装置１２に取り付け固定される第１の基台１１に撮影装置１２の被写体側にフォーカス補助光を照射する補助光照射部１３を有するので、撮影装置１２とこの補助光照射部１３との位置関係は、一定で変わらないので、良好にフォーカスが合わせられる。
【００２６】
また、このときは、表示部１６及び操作釦１７の近傍に付された図示されない何の操作釦かを表示する表示文字（表示部１６等と略す。）は、図４、図１０に示すように、正位置であり、撮影者２０は、正位置の表示を見ることができる。
【００２７】
次に、撮影装置１２の横位置のバウンズ撮影時につき説明する。この撮影装置１２の横位置のバウンズ撮影時は、図１１、図１２、図１３に示すように図８、図９、図１０の状態より閃光装置の閃光発光部１５を撮影装置１２の光軸に略平行な軸に垂直な軸を中心に回動し、第２の基台１４に対し、所定の角度上側にし、閃光の照射を天井に向けるようにする。図１１は撮影者２０が撮影装置１２の横位置のバウンズ撮影するときの正面図、図１２はその前面側斜視図、図１３はその後面側斜視図である。
【００２８】
図１４、図１５、図１６及び図１７は、この撮影装置１２の横位置のバウンズ撮影時の閃光装置の状態を示し、図１４は撮影装置１２の横位置のバウンズ撮影時正面図、図１５はその右側面図、図１６はその前面側斜視図、図１７はその後面側斜視図を示す。
【００２９】
このときは、閃光装置の閃光発光部１５よりの閃光が天井を照射し、良好な撮影装置１２の横位置のバウンズ撮影を行うことができる。
【００３０】
また、このときの補助光照射部１３は、撮影装置１２との位置関係は、上述通常撮影時と同じであるので、補助光照射部１３よりのフォーカス補助光により被写体に良好にフォーカスが合わせられる。
【００３１】
また、このときは、表示部１６等は、図１３、図１７に示すように、正位置であり、撮影者２０は、正位置の表示を見ることができる。
【００３２】
次に、撮影装置１２を９０度回し、縦位置のバウンズ撮影時につき説明する。この撮影装置１２の縦位置のバウンズ撮影時は、図１８、図１９、図２０に示すように図１１、図１２、図１３の状態より、撮影装置１２を９０度回すと共に第２の基台１４を撮影装置１２の光軸に対して略水平になる軸ａを中心として、第１の基台１１に対し９０度回動し、仮固定手段であるクリック機構でクリックを得て、閃光装置の閃光発光部１５よりの閃光を天井に照射するようにする。図１８は撮影者２０が撮影装置１２の縦位置のバウンズ撮影するときの正面図、図１９はその前面側斜視図、図２０はその後面側斜視図である。
【００３３】
図２１、図２２、図２３及び図２４は、この撮影装置１２の縦位置のバウンズ撮影時の閃光装置の状態を示し、図２１は撮影装置１２の縦位置のバウンズ撮影時正面図、図２２はその右側面図、図２３はその前面側斜視図、図２４はその後面側斜視図を示す。
【００３４】
このときは、撮影装置１２は９０度回した方向であるが、閃光装置の閃光発光部１５は図１９、図２１、図２２、図２３に示すように撮影装置１２の横位置のバウンズ撮影と同じ光の照射の条件となり、このときも閃光発光部１５よりの閃光が天井を照射し、良好な縦位置のバウンズ撮影を行うことができる。この場合、クリック機構により、第２の基台１４を第１の基台１１に対し９０度回動したことを目で確認しなくても知ることができると共に撮影装置１２の横位置及び縦位置のバウンズ撮影を同じ光の照射条件で行うことができるので、撮影者２０は、撮影に集中することができる。
【００３５】
また、このときの補助光照射部１３は、撮影装置１２との位置関係は、撮影装置１２は９０度回しただけで、上述通常撮影時と同じであるので、補助光照射部１３よりのフォーカス補助光により被写体に良好にフォーカスが合わせられる。
【００３６】
また、このときは、撮影装置１２を９０度回すが、第２の基台１４を第１の基台１１に対し９０度回動するので、表示部１６等は、図２０、図２４に示すように、正位置であり、撮影者２０は、正位置の表示を見ることができる。
【００３７】
図２５及び図２６と図２７とは夫々本発明を実施するための最良の形態の他の例を示す。この図２５及び図２６と図２７との例につき説明するに、図１〜図２４に対応する部分には、同一符号を付し、その詳細説明は省略する。
【００３８】
図２５及び図２６例につき説明するに、図２５は、撮影装置１２の横位置のバウンズ撮影を行う場合の閃光装置を示し、図２６は、撮影装置１２を９０度回し、縦位置のバウンズ撮影を行う場合を示す。
【００３９】
この図２５及び図２６においては、第１基台１１及び第２の基台１４は、図１〜図２４とは形状を異にするが、この第１基台１１には、その下部に撮影装置１２の上部の取り付け部１２ａであるアクセサリシューに取り付ける取り付け部１１ａが設けられ、この取り付け部１１ａに設けられた回転ツマミ１１ｇを回転させると、回転ツマミ１１ｇと一体の円筒部１１ｈと取り付け台とにより、このアクセサリシューを狭持し固定される。この第１基台１１の上部に撮影装置１２の光軸に対して略平行な軸ａに対し回動自在に第２の基台１４を取り付け、この第２の基台１４にこの撮影装置１２の光軸に対して直交し、この撮影装置１２を横位置にしたときに略水平になる軸１９を中心に上下方向に回動自在に閃光発光部１５を取り付けた構成が示されている。
【００４０】
この図２５及び図２６の例では、閃光発光部１５の回転軸１９部に設けたプッシュ釦１９ａを押したときに、この閃光発光部１５を回動でき、離すとその角度で固定されるように構成されている。
【００４１】
また、第２の基台１４を第１の基台１１に対し９０度回動したときの仮固定手段として、第１の基台１１側に先端に球状部を有する突起１８ｃを設け、第２の基台１４側にこの突起１８ｃが挿入される穴を設けると共にこの穴内にこの突起１８ｃと係合する線状バネ１８ｄとを設けている。
【００４２】
また、この図２５及び図２６の閃光発光部１５の上側に白色反射板２１を設け、この閃光発光部１５よりの閃光を天井に照射すると共にこの閃光の一部を反射させ被写体方向にも照射するようにしている。この閃光発光部１５の上側に必要に応じ白色反射板２１を設けることにより、良好な撮影をすることができる。
【００４３】
この図２５及び図２６の例においても、図１〜図２４例と同様の作用効果が得られることは容易に理解できよう。また、従来例の図２８Ａ及びＢでこの白色反射板を取り付けたことを考えると図２８Ｂでは、この白色反射板は縦方向なるため光の照射条件が変わってしまう。
【００４４】
図２７例は、第１基台１１の取り付け部１１ａとして、撮影装置１２の三脚取り付けネジ穴に固定する三脚取り付けネジ穴用固定ネジで撮影装置１２に取り付けるようにすると共に第１基台１１に設けた補助光照射部１３の外周に設けた軸１３ａを撮影装置１２の光軸に対して略平行な軸として、回動自在に第２の基台１４を取り付け、この第２の基台１４にこの撮影装置１２の光軸に対して直交し、この撮影装置１２を横位置にしたときに略水平になる軸を中心に上下方向に回動自在に閃光発光部１５を取り付けた構成である。また、閃光発光部１５の左右に白色反射板２１を設けることにより、閃光の一部を反射させ、閃光の被写体への当て方を調整することができる。
【００４５】
この図２７例においても、図１〜図２６例と同様の作用効果が得られることは容易に理解できよう。
【００４６】
尚、本発明は、上述例に限ることなく本発明の要旨を逸脱することなく、その他種々の構成が採り得ることは勿論である。
【図面の簡単な説明】
【００４７】
【図１】本発明閃光装置を実施するための最良の形態の例の正位置の正面図である。
【図２】図１の右側面図である。
【図３】図１の前面側斜視図である。
【図４】図１の後面側斜視図である。
【図５】第１の基台の取り付け部の例を示す斜視図である。
【図６】撮影装置の取り付け部の例を示す斜視図である。
【図７】仮固定手段の例を示す構成図である。
【図８】本例の正位置の閃光装置を撮影装置に取り付けた状態を示す正面図である。
【図９】本例の正位置の閃光装置を撮影装置に取り付けた状態を示す前面側斜視図である。
【図１０】図９の後面側斜視図である。
【図１１】本例の縦方向のバウンズ撮影を行う場合の閃光装置を撮影装置に取り付けた状態を示す正面図である。
【図１２】本例の縦方向のバウンズ撮影を行う場合の閃光装置を撮影装置に取り付けた状態を示す前面側斜視図である。
【図１３】図１２の後面側斜視図である。
【図１４】本発明閃光装置を実施するための最良の形態の例の縦方向のバウンズ撮影を行う場合の正面図である。
【図１５】図１４の右側面図である。
【図１６】図１４の前面側斜視図である。
【図１７】図１４の後面側斜視図である。
【図１８】本例の横方向のバウンズ撮影を行う場合の閃光装置を撮影装置に取り付けた状態を示す正面図である。
【図１９】本例の横方向のバウンズ撮影を行う場合の閃光装置を撮影装置に取り付けた状態を示す前面側斜視図である。
【図２０】図１９の後面側斜視図である。
【図２１】本発明閃光装置を実施するための最良の形態の例の横方向のバウンズ撮影を行う場合の正面図である。
【図２２】図２１の右側面図である。
【図２３】図２１の前面側斜視図である。
【図２４】図１４の後面側斜視図である。
【図２５】本発明を実施するための最良の形態の他の例の縦方向のバウンズ撮影を行う場合の前面側斜視図である。
【図２６】図２５の横方向のバウンズ撮影を行う場合の前面側斜視図である。
【図２７】本発明を実施するための最良の形態の他の例の前面側斜視図である。
【図２８】従来の閃光装置の例を示し、Ａは縦方向のバウンズ撮影を行う場合の正面図、Ｂは横方向のバウンズ撮影を行う場合の正面図である。
【符号の説明】
【００４８】
１１…第１の基台、１２…撮影装置、１３…補助光照射部、１４…第２の基台、１５…閃光発光部、１６…表示部、１７…操作釦
【図１】
2008090084.tif 000003
【図２】
2008090084.tif 000004
【図３】
2008090084.tif 000005
【図４】
2008090084.tif 000006
【図５】
2008090084.tif 000007
【図６】
2008090084.tif 000008
【図７】
2008090084.tif 000009
【図８】
2008090084.tif 000010
【図９】
2008090084.tif 000011
【図１０】
2008090084.tif 000012
【図１１】
2008090084.tif 000013
【図１２】
2008090084.tif 000014
【図１３】
2008090084.tif 000015
【図１４】
2008090084.tif 000016
【図１５】
2008090084.tif 000017
【図１６】
2008090084.tif 000018
【図１７】
2008090084.tif 000019
【図１８】
2008090084.tif 000020
【図１９】
2008090084.tif 000021
【図２０】
2008090084.tif 000022
【図２１】
2008090084.tif 000023
【図２２】
2008090084.tif 000024
【図２３】
2008090084.tif 000025
【図２４】
2008090084.tif 000026
【図２５】
2008090084.tif 000027
【図２６】
2008090084.tif 000028
【図２７】
2008090084.tif 000029
【図２８】
2008090084.tif 000030